(57)【特許請求の範囲】
【請求項１】
１フィールドは、発光輝度に対応して重み付けされたサブフィールドを複数有し、１フィールド内の各サブフィールドにおける発光輝度を映像信号レベルに応じて変化させて映像表示を行うプラズマディスプレイ装置において、映像信号に応じて発光の有無を制御される複数のサブフィールドの中で、最小の発光輝度に対応して重み付けされたサブフィールドにおける発光輝度を、前記映像信号レベルに応じて変化させないようにしたことを特徴とするプラズマディスプレイ装置。
【請求項２】
１フィールドは、発光輝度に対応して重み付けされかつその重み付けに応じて発光維持回数が設定されたサブフィールドを複数有し、１フィールド内の各サブフィールドにおける発光維持回数を映像信号レベルに応じて所定倍して映像表示を行うプラズマディスプレイ装置において、映像信号に応じて発光の有無を制御される複数のサブフィールドの中で、最小の発光輝度に対応して重み付けされたサブフィールドにおける発光維持回数を、前記映像信号レベルに応じて変えないようにしたことを特徴とするプラズマディスプレイ装置。
【請求項３】
映像信号レベルを、表示画面全体の平均輝度の値としたことを特徴とする請求項１または２記載のプラズマディスプレイ装置。
【請求項４】
映像信号レベルを、表示画面の中央部を含んだ所定の範囲における平均輝度の値としたことを特徴とする請求項１または２記載のプラズマディスプレイ装置。
【請求項５】
映像信号レベルを、表示画面の所定の１画素におけるピーク輝度の値としたことを特徴とする請求項１または２記載のプラズマディスプレイ装置。
【請求項６】
所定の階調より高い階調の映像表示を行う場合には、映像信号に応じて発光の有無を制御される複数のサブフィールドの中で、最小の発光輝度に対応して重み付けされたサブフィールドでの発光維持動作を行わないことを特徴とする請求項１または２記載のプラズマディスプレイ装置。
【請求項７】
所定の階調を、黒表示の次に低い階調としたことを特徴とする請求項６記載のプラズマディスプレイ装置。
【発明の詳細な説明】
【０００１】
【発明の属する技術分野】
本発明は、放電を制御することにより映像を表示するプラズマディスプレイ装置に関するものである。
【０００２】
【従来の技術】
図５はプラズマディスプレイパネルの要部を示す斜視図である。図５に示すように、第１のガラス基板１上には誘電体層２で覆われた走査電極３と維持電極４とが対を成して互いに平行に付設されており、誘電体層２上には保護層５が形成されている。第２のガラス基板６上には絶縁体層７で覆われたデータ電極８が付設され、データ電極８の間の絶縁体層７上にデータ電極８と平行して隔壁９が設けられている。また、絶縁体層７の表面及び隔壁９の側面に蛍光体１０が設けられ、走査電極３及び維持電極４とデータ電極８とが直交するように第１のガラス基板１と第２のガラス基板６とが対向して配置されている。第１のガラス基板１と第２のガラス基板６との間には放電空間１１が形成され、放電空間１１には放電ガスが封入されている。また、隣接する２つの隔壁９に挟まれ、データ電極８と走査電極３及び維持電極４との交差部には放電セルが形成されている。
【０００３】
このようなプラズマディスプレイパネルは放電現象を利用しているため放電セルは点灯及び非点灯の２つの状態しか持たない。従って中間調の階調表現を行うために、１フィールドを発光輝度に対応して重み付けされた複数のサブフィールドに分割し、各サブフィールドの発光の有無を制御することで階調表現をしている。図６は従来のプラズマディスプレイの階調表現方法を示したものであり、ＳＦ１〜ＳＦ８は１フィールドを構成する８つのサブフィールドを表している。そして、サブフィールドＳＦ１〜ＳＦ８の発光輝度の重みをそれぞれ「１」、「２」、「４」、「８」、「１６」、「３２」、「６４」、「１２８」とする。また、左欄は階調数を表しており、テーブル中の「○」は各階調数の映像を表示する場合に発光維持動作を行うサブフィールドを表している。例えば階調「１５」を表現する場合、サブフィールドＳＦ１〜ＳＦ４における書き込み期間において書き込み動作を行うことにより、サブフィールドＳＦ１、ＳＦ２、ＳＦ３及びＳＦ４それぞれの重みである「１」、「２」、「４」及び「８」に相当する発光維持動作が行われ、階調「１５」が表現される。また階調「１６」を表現する場合、サブフィールドＳＦ５においてのみ書き込み動作を行うことで階調「１６」に相当する発光維持動作が行われる。
【０００４】
図７及び図８にプラズマディスプレイパネルの駆動に関して１フィールドにおける駆動時間割構成及び駆動信号を示す。図７及び図８に示すように、１フィールドを複数のサブフィールド、例えば８つのサブフィールドＳＦ１〜ＳＦ８で構成する場合、サブフィールドＳＦ１〜ＳＦ８は順番に処理され、全ての処理は１フィールドの期間内で行われる。
【０００５】
図７を用いて、この駆動時間割構成及び駆動信号について説明する。８つのサブフィールドＳＦ１〜ＳＦ８はそれぞれ書き込み期間、維持期間及び消去初期化期間で構成され、１フィールドは最初にある初期化期間とそれに続く複数のサブフィールドＳＦ１〜ＳＦ８とから構成されている。次に各サブフィールドにおける処理について説明する。
【０００６】
書き込み期間においては水平方向の走査電極３が順次走査され、データ電極８からパルスを受けた放電セルのみに所定の書き込み動作が行われる。例えばサブフィールドＳＦ１を処理している場合、図６に示すサブフィールドＳＦ１のうち「○」で表示されている放電セルでは書き込み動作が行われ、空欄で表示されている放電セルでは書き込み動作は行われない。
【０００７】
維持期間においては各サブフィールドに重み付けされた値に応じた発光維持用の維持パルスを走査電極３及び維持電極４に交互に印加する。図６中で「○」で表示され書き込み動作が行われた放電セルでは各維持パルスに対し放電が起こって発光維持し、１回の放電で所定の放電セルに対して所定の輝度を得ることができる。サブフィールドＳＦ１においては重み付けが「１」であり、維持期間において走査電極３及び維持電極４にそれぞれ１つの維持パルスを印加することにより「１」のレベルの輝度が得られる。またサブフィールドＳＦ２においては重み付けが「２」であり、維持期間において走査電極３及び維持電極４にそれぞれ２つの維持パルスを印加することにより「２」のレベルの輝度が得られる。
【０００８】
以上のように書き込み期間は発光する放電セルを選択するための期間であり、維持期間は各サブフィールドの重み付けに応じた回数の発光維持が行われる期間である。すなわち図７に示す各サブフィールドＳＦ１〜ＳＦ８がそれぞれ「１」、「２」、「４」、「８」、「１６」、「３２」、「６４」及び「１２８」の重み付けがなされている場合、各放電セルにおいて輝度レベルは０〜２５５までの全２５６段階で調整することができる。
【０００９】
ところで、全体的に明るい画面においては映像信号から得られる維持パルスをそのまま用いても明るい映像を得ることができるが、全体的に暗い画面においては映像信号から得られる維持パルスをそのまま用いた場合には非常に暗い画面となり、貧弱な映像の表現になってしまう。人間の眼の構造によれば、明るいところでは瞳孔が小さくなり光の入る量を絞るが、暗くなると瞳孔が連続的に大きくなりより多くの光を取りこもうとする。これと同様な効果を得るために画面全体が暗くなれば画面全体に同じ割合で維持パルス数を増やすことにより、画面全体を明るくし、暗い雰囲気は保ちつつしっかりとした映像の表現を得る方法が知られている。例えば、画面全体の明るさを「明るい」、「やや明るい」、「暗い」の３段階に分けた場合、「明るい」場合の維持パルス数はそのままの１倍モードを用い、「やや明るい」場合は維持パルス数を２倍にした２倍モードを用い、「暗い」場合は維持パルス数を３倍にした３倍モードを用いる。なお、図７は１倍モードの場合を表しており図８は２倍モードの場合を表している。
【００１０】
図９に各サブフィールドの発光輝度の重み付けと維持パルス数の対応に関するテーブルを示す。図９に示すように例えば最大倍数を３倍とした場合、明るさを連続的に変化させるために、１倍から３倍まで複数の段階に分けて変化させる。より連続的に変化させるためには維持パルスを整数倍するだけでなく小数点を含む倍数で変化させる。維持パルス数は各サブフィールドの重み付けに倍数を掛けたものであるのが原則であるが、倍数が小数点を含んでいる場合は、維持パルス数が整数値ではなく小数点を含む値になる。この場合の維持パルス数の小数点以下の値を図９に示すように四捨五入することにより、維持パルス数すなわち発光維持回数を常に整数値とする。なお、維持パルス数の小数点以下の値を切り捨てるかあるいは繰り上げてもよい。
【００１１】
このように維持パルス数を段階的に変化させ、更にこの段階数を多くすることで画面を見ている者に明るさの変化を感じさせること無く明るさを調整することができる。
【００１２】
【発明が解決しようとする課題】
しかし、図９に示すテーブルに従って黒に近い階調を表現する場合、画面全体が明るい場合に用いる１倍モードでの発光維持回数は黒の次に低い階調で「１」であり、次に低い階調で「２」であり、さらに階調が高くなるにつれて「３」、「４」、「５」となるが、これに対し画面全体が暗い場合に用いる３倍モードでの発光維持回数は黒の次に低い階調を表現する場合でも「３」となり１倍モードの場合と比べ黒に対する輝度の変化量すなわち輝度差が大きくなってしまう。これにより例えば黒近辺の階調を誤差拡散法等を用いて表現する場合であっても、黒の次に暗い輝度で表される放電セルは発光維持回数「３」で表現されているため、その放電セルがはっきりと確認できる輝度となってしまい、特に黒近辺の画質が劣化してしまうという問題があった。
【００１３】
本発明はこのような課題を解決するためになされたものであり、複数の倍数モードで映像表示を行う場合において、黒の輝度と黒の次に低い階調を表現する放電セルの輝度との輝度差が大きくなることを防止し、黒近辺の画質劣化を防止することができるプラズマディスプレイ装置を提供することを目的とする。
【００１４】
【課題を解決するための手段】
上記の目的を達成するために、本発明のプラズマディスプレイ装置は、１フィールドは、発光輝度に対応して重み付けされたサブフィールドを複数有し、１フィールド内の各サブフィールドにおける発光輝度を映像信号レベルに応じて変化させて映像表示を行うプラズマディスプレイ装置において、映像信号に応じて発光の有無を制御される複数のサブフィールドの中で、最小の発光輝度に対応して重み付けされたサブフィールドにおける発光輝度を、前記映像信号レベルに応じて変化させないようにしたものである。これにより、映像信号レベルによらず黒の次に低い階調を設定可能な最小の輝度にすることができる。
【００１５】
【発明の実施の形態】
まず、本発明の請求項１の発明は、１フィールドは、発光輝度に対応して重み付けされたサブフィールドを複数有し、１フィールド内の各サブフィールドにおける発光輝度を映像信号レベルに応じて変化させて映像表示を行うプラズマディスプレイ装置において、映像信号に応じて発光の有無を制御される複数のサブフィールドの中で、最小の発光輝度に対応して重み付けされたサブフィールドにおける発光輝度を、前記映像信号レベルに応じて変化させないようにしたことを特徴とするプラズマディスプレイ装置である。
【００１６】
また、請求項２の発明は、１フィールドは、発光輝度に対応して重み付けされかつその重み付けに応じて発光維持回数が設定されたサブフィールドを複数有し、１フィールド内の各サブフィールドにおける発光維持回数を映像信号レベルに応じて所定倍して映像表示を行うプラズマディスプレイ装置において、映像信号に応じて発光の有無を制御される複数のサブフィールドの中で、最小の発光輝度に対応して重み付けされたサブフィールドにおける発光維持回数を、前記映像信号レベルに応じて変えないようにしたことを特徴とするプラズマディスプレイ装置である。
【００１７】
これにより、発光させる複数のサブフィールドの輝度の和が大きくなる場合でも黒の輝度と黒の次に低い階調を表現する放電セルの輝度との輝度差が大きくなることを防ぐことができ、黒近辺の画質劣化を防止することができる。
【００１８】
また、請求項３の発明は、映像信号レベルを、表示画面全体の平均輝度の値としたものである。これにより、全体的に暗い場面においても画面全体が暗く貧弱な映像になることを防ぐことができる。
【００１９】
また、請求項４の発明は、映像信号レベルを、表示画面の中央部を含んだ所定の範囲における平均輝度の値としたものであり、請求項５の発明は、映像信号レベルを、表示画面の所定の１画素におけるピーク輝度の値としたものである。これにより、映像信号レベルの検出を容易に行うことができる。
【００２０】
さらに、請求項６の発明は、所定の階調より高い階調の映像表示を行う場合には、映像信号に応じて発光の有無を制御される複数のサブフィールドの中で、最小の発光輝度に対応して重み付けされたサブフィールドでの発光維持動作を行わないことを特徴とし、請求項７の発明は、所定の階調を、黒表示の次に低い階調としたものである。これにより、大きな階調特性の劣化なく放電セルを点灯させるための書き込み動作によるデータドライバの消費電力を低減することができる。
【００２１】
以下、本発明の一実施の形態によるプラズマディスプレイ装置について図面を参照しながら説明する。
【００２２】
図１は本発明の一実施の形態のプラズマディスプレイ装置の構成図であり、このプラズマディスプレイ装置は、プラズマディスプレイパネル２０、データドライバ２１、走査ドライバ２２、維持ドライバ２３、信号レベル検出手段２４、維持パルス数設定手段２５及びサブフィールド変換手段２６を有している。
【００２３】
プラズマディスプレイパネル２０は図５に示した従来のプラズマディスプレイパネルと同じ構成であり、複数の走査電極３及び維持電極４が形成された基板と複数のデータ電極８が形成された基板とが対向配置され、基板間には放電空間が形成されている。放電空間にはネオン及びキセノン等からなる放電ガスが封入されている。走査電極３及び維持電極４とデータ電極８とは直交するように配置されており、走査電極３及び維持電極４とデータ電極８との交差部には放電セル２７が形成される。
【００２４】
映像信号の入力側から信号レベル検出手段２４、維持パルス数設定手段２５及びサブフィールド変換手段２６が順に配置され、サブフィールド変換手段２６はデータドライバ２１、走査ドライバ２２及び維持ドライバ２３に接続されている。信号レベル検出手段２４は入力される映像信号の映像信号レベルを検出し維持パルス数設定手段２５に出力する。維持パルス数設定手段２５は映像信号レベルに応じて各サブフィールドの重み付けに対する倍数を決定し後段のサブフィールド変換手段２６に出力する。またサブフィールド変換手段２６は階調に応じて書き込みを行うサブフィールドを決定しデータドライバ２１に出力するとともに、各サブフィールドでの維持パルス数を走査ドライバ２２及び維持ドライバ２３に出力する。データドライバ２１、走査ドライバ２２及び維持ドライバ２３はそれぞれプラズマディスプレイパネル２０のデータ電極８、走査電極３及び維持電極４に接続され、それぞれの電極に印加するための電圧を発生する。
【００２５】
図２は、本発明の一実施の形態におけるプラズマディスプレイ装置の駆動時間割構成及び駆動信号を示す説明図である。図２に示すように、１フィールドは最初にある初期化期間とそれに続く８つのサブフィールドＳＦ１〜ＳＦ８とで構成されており、各サブフィールドはそれぞれ書き込み期間、維持期間及び消去初期化期間で構成されている。サブフィールドＳＦ１〜ＳＦ８は順番に処理され、全ての処理は１フィールドの期間内で行われる。
【００２６】
各サブフィールドにおける書き込み期間には各走査電極３に順に走査パルスを印加するとともに所望のデータ電極８にデータパルスを印加することにより、走査パルスを印加した走査電極３とデータパルスを印加したデータ電極８の交差部の放電セル２７において書き込み動作が行われる。書き込み期間に続く維持期間において走査電極３及び維持電極４に維持パルスを交互に印加することにより、書き込み動作が行われた放電セル２７で発光維持動作が行われる。例えば図２に示すように、サブフィールドＳＦ２の維持期間では走査電極３及び維持電極４にはそれぞれ４つの維持パルスが印加され、維持パルスが印加される度に走査電極３と維持電極４との間で発光維持放電が起こることによって発光維持放電の回数に対応した「４」のレベルの輝度が得られる。同様にサブフィールドＳＦ３においては「８」のレベルの輝度が得られる。
【００２７】
以上のように書き込み期間は発光する放電セルを選択する期間であり、維持期間は各サブフィールド毎の重み付けに基づく所定の回数の発光維持放電が行われる期間である。また、維持期間に続く消去初期化期間では維持期間で発生した発光維持放電を停止させるとともに各放電セルにおいて初期化を行い、各放電セルの発光状態によって次のサブフィールドでの動作が影響を受けないようにする。
【００２８】
図３は各サブフィールドの重み付けおよび重み付け倍数と維持パルス数との関係を示すテーブルであり、左半分のＳＦ１〜ＳＦ８は各サブフィールドＳＦ１〜ＳＦ８における発光輝度に対応した重み付けを表し、右半分のＳＦ１〜ＳＦ８は各サブフィールドＳＦ１〜ＳＦ８における維持パルス数を表す。ここで、各サブフィールドに与えられた重み付けと同数の維持パルスを走査電極３及び維持電極４にそれぞれ印加して発光維持動作を行う場合を１倍モードとするとき、１倍モードの維持パルス数をｎ倍した数の維持パルスを印加する場合をｎ倍モードといい、ｎを重み付け倍数という。
【００２９】
図３に示すように最大の重み付け倍数を３とした場合、明るさを連続的に変化させるために重み付け倍数を１〜３の間の小数点を含む数で変化させている。各サブフィールドでの維持パルス数すなわち発光維持回数は、１倍モードにおいて発光輝度に対応した重み付けに応じて設定され、ｎ倍モードにおいては重み付け倍数と各サブフィールドの重み付けとを掛けた数としているが、重み付け倍数が小数点を含んでいる場合は、重み付けと重み付け倍数とを掛けた数の小数点以下を切り捨て、四捨五入あるいは繰り上げて整数にすることにより維持パルス数を設定する。
【００３０】
本実施の形態では図３に示すように、サブフィールドＳＦ２〜ＳＦ８における維持パルス数は重み付け倍数と各サブフィールドの重み付けとを掛けた数に設定しているが、最小の発光輝度に対応して重み付けされたサブフィールドＳＦ１における維持パルス数は重み付け倍数によって変わらないように１倍モードの維持パルス数である１に固定されている。すなわち走査電極３及び維持電極４にそれぞれ印加される維持パルス数はサブフィールドＳＦ１では常に１である。なお、図２は２倍モードの場合を表したものである。
【００３１】
図３のテーブルに従って映像表示を行う場合、画面全体の明るさに応じて１倍モード〜３倍モードの間で切り換える。すなわち、画面全体が明るい場合には１倍モードで映像表示を行い、画面全体が暗い場合には３倍モードで映像表示を行い、その間では適宜モードを切り換える。これにより、画面全体が暗い場面においても暗い雰囲気を保ちながらしっかりとした映像を得ることができ、画面を見ている者に明るさの変化を感じさせること無く明るさを調整することができる。
【００３２】
また、サブフィールドＳＦ１における維持パルス数は重み付け倍数によって変わらないように固定されているので、画面全体が暗い場面のとき、すなわち重み付け倍数が大きく総維持パルス数が多い駆動条件の場合においても、黒の輝度と黒の次に低い階調を表現する放電セルの輝度との輝度差を常に最小にすることができる。従って重み付け倍数が大きくなった場合に、黒の次に低い階調を表現するのに用いるサブフィールドＳＦ１の発光維持放電の回数が重み付け倍数の増加につれて多くなる従来の場合に比べて、黒の輝度と黒の次に低い階調を表現する放電セルの輝度との輝度差を小さくすることができるので黒近辺の画質劣化を防止することができる。
【００３３】
本実施の形態では画面全体の明るさに応じて重み付け倍数を変えているが、この画面全体の明るさは表示画面全体の平均輝度の値であり、入力された映像信号から信号レベル検出手段２４によって検出することによって得られ、これを映像信号レベルとしている。すなわち、本実施の形態では、映像信号レベルに応じて各サブフィールドにおける発光輝度を変化させて映像表示を行っており、最小の発光輝度に対応して重み付けされたサブフィールドＳＦ１における発光輝度を映像信号レベルに応じて変えないようにしている。
【００３４】
また、映像信号レベルを、表示画面の中央部を含んだ所定の範囲における平均輝度の値としてもよい。この場合、表示画面全体の平均輝度を求める場合に比べて平均輝度を求める範囲が狭いため、映像信号レベルの検出を容易に行うことができる。
【００３５】
また、映像信号レベルを、表示画面の所定の１画素、例えば表示画面中央の１画素におけるピーク輝度の値とすることができる。この場合、表示画面全体及び複数の画素を含む所定の範囲を評価する場合に比べて、映像信号レベルの検出を容易に行うことができる。
【００３６】
次に、本発明のプラズマディスプレイ装置における階調表現方法の一実施の形態について図４を用いて説明する。
【００３７】
図４は画面全体が暗い場合に使用する重み付け倍数が３（３倍モード）の場合を示しており、１フィールドを８つのサブフィールドに分割し、サブフィールドＳＦ１〜ＳＦ８の発光輝度に対応した重み付けをそれぞれ「１」、「２」、「４」、「８」、「１６」、「３２」、「６４」、「１２８」として配置する。前述したようにサブフィールドＳＦ１での維持パルス数を１としており、サブフィールドＳＦ２〜ＳＦ８での維持パルス数を発光輝度に対応した重み付けと重み付け倍数とを掛けた数としている。図４のテーブルの左欄は階調数を表しており、テーブル中の「○」は各階調数の映像を表示する場合に発光維持動作を行うサブフィールドを表している。例えば、階調「１」を表現する場合、サブフィールドＳＦ１における書き込み期間においてのみ書き込み動作を行うことにより、サブフィールドＳＦ１の重みである「１」に相当する発光維持動作が行われ、階調「１」が表現される。また次の階調である階調「２」を表現する場合は、サブフィールドＳＦ２においてのみ書き込み動作を行うことで階調「２」に相当する発光維持動作が行われる。そして、図４に示すように階調「３」以上の階調においてはサブフィールドＳＦ１での発光維持動作を行わないようにしている。
【００３８】
例えば階調「３７」を表現する場合はサブフィールドＳＦ３及びサブフィールドＳＦ６において発光維持動作を行うことにより階調「３７」を表現しており、サブフィールドＳＦ１においては発光維持動作を行っていない。この場合、階調「３６」を表現する場合と維持パルス数が同数であるため、発光させるサブフィールドの発光量は階調「３６」と階調「３７」とで同じになり、維持パルス数である「１０８」に相当する大きさになる。また、階調「３８」を表現する場合の発光量は維持パルス数である「１１４」に相当する大きさとなる。
【００３９】
ここで、仮に階調「３７」を表現する際にサブフィールドＳＦ１において発光維持動作を行った場合、発光量は維持パルス数「１０９」に相当する大きさになるが、階調「３６」と階調「３８」との間の発光量の差すなわち輝度差に比べて階調「３６」と階調「３７」との間の輝度差は非常に小さくなる。このため、階調「３７」を表現する場合サブフィールドＳＦ１の発光維持動作を行わなくても表示にほとんど影響がないため、本実施の形態ではサブフィールドＳＦ１の発光維持動作を行わないようにしている。このように表示にほとんど影響を与えないという効果は、より高い輝度の表示を行うために重み付け倍数を大きくした場合においてより顕著なものとして認められる。また、データドライバの消費電力は発光させる各サブフィールドの書き込み期間に行われる書き込み動作の回数に比例して増加するが、本実施の形態では階調「３」以上の階調においてはサブフィールドＳＦ１での発光維持動作を行わないようにしているため、サブフィールドＳＦ１での書き込み動作も行われずデータドライバの消費電力を低減することができる。
【００４０】
このように重み付け倍数が大きく、所定の階調より高い階調を表示する場合、最小の発光輝度に対応して重み付けされたサブフィールドＳＦ１の発光維持動作を行わなくても大きな階調の劣化が無く、かつサブフィールドＳＦ１の書き込み期間における書き込み動作によるデータドライバの消費電力を低減することができる。
【００４１】
なお、上記実施の形態で示したように重み付け倍数の最大値を３倍とする必要はなく、例えば５倍、１０倍や６．５倍のように小数点を含む値であっても本発明を適用することができる。また重み付け倍数の刻み幅は０．１２５の等刻みである必要はなく、他の値または等刻みでなくてもよい。またサブフィールド数及び各サブフィールドの重み付けの値も必ずしも上記実施の形態で使用した値である必要はなく、各サブフィールドの維持期間における発光維持の組み合わせによって階調を表現できるように重み付けされていれば同様の効果を得ることができる。
【００４２】
【発明の効果】
以上のように本発明によれば、最小の発光輝度に対応して重み付けされたサブフィールドでの発光輝度を映像信号レベルに応じて変えないようにすることにより、各サブフィールドにおける発光輝度を映像信号レベルに応じて変化させて映像表示を行うプラズマディスプレイ装置において黒近辺の画質の劣化を防止することができる。
【図面の簡単な説明】
【図１】本発明の一実施の形態におけるプラズマディスプレイ装置の構成図
【図２】同プラズマディスプレイ装置における１フィールドの駆動時間割構成及び駆動信号を示す説明図
【図３】同プラズマディスプレイ装置における各サブフィールドの重み付けと発光維持パルス数を示す説明図
【図４】同プラズマディスプレイ装置における階調表現方法を示す説明図
【図５】従来のプラズマディスプレイパネルの要部を示す斜視図
【図６】従来のプラズマディスプレイ装置における階調表現方法を示す説明図
【図７】従来のプラズマディスプレイ装置における１フィールドの駆動時間割構成及び駆動信号を示す説明図
【図８】従来のプラズマディスプレイ装置における１フィールドの駆動時間割構成及び駆動信号を示す説明図
【図９】従来のプラズマディスプレイ装置における各サブフィールドの重み付けと発光維持パルス数を示す説明図
【符号の説明】
３  走査電極
４  維持電極
８  データ電極
２０  プラズマディスプレイパネル
２１  データドライバ
２２  走査ドライバ
２３  維持ドライバ
２４  信号レベル検出手段
２５  維持パルス数設定手段
２６  サブフィールド変換手段
２７  放電セル
【図１】
0004165108.tif 000002
【図２】
0004165108.tif 000003
【図３】
0004165108.tif 000004
【図４】
0004165108.tif 000005
【図５】
0004165108.tif 000006
【図６】
0004165108.tif 000007
【図７】
0004165108.tif 000008
【図８】
0004165108.tif 000009
【図９】
0004165108.tif 000010